(57)【特許請求の範囲】
【請求項１】
基板に設けられたソケットに電子部品の複数のリード端子を接続する電子部品接続治具であって、
前記基板を載置し且つ保持する保持部を有する台部と、
該台部から立ち上がる立上部と、
該立上部の上端から前記保持部内側上方に突出し、前記複数のリード端子をガイドすると共に前記ソケットに対面し且つ上下方向及び突出方向に開口する複数のガイド孔を有するガイド部と、
を備えることを特徴とする電子部品接続治具。
【請求項２】
前記保持部は、前記基板が適合する凹部からなることを特徴とする請求項１記載の電子部品接続治具。
【請求項３】
前記台部には、前記保持部の縁の一部分に該保持部よりも深い凹部又は貫通孔からなり、前記基板を前記保持部から取り出し易くする取出部が設けられていることを特徴とする請求項２記載の電子部品接続治具。
【請求項４】
前記保持部内には、前記基板の裏面側に突出する部品の逃げとなる凹部又は貫通孔からなる逃げ部が設けられていることを特徴とする請求項２又は３記載の電子部品接続治具。
【請求項５】
前記保持部は、前記基板の厚みとほぼ同じ深さに設定され、前記立上部は、前記ソケットの高さとほぼ同じ高さに設定されていることを特徴とする請求項２乃至４の一つに記載の電子部品接続治具。
【発明の詳細な説明】
【技術分野】
【０００１】
本発明は、基板上に設けられるソケットに、多数のリード端子が設けられている液晶表示装置等の電子部品を接続する際に用いる電子部品接続治具に関するものである。
【背景技術】
【０００２】
従来のこの種の治具としては、すり鉢を縦に切断したようなガイド孔を複数備えると共に、下面と背面に位置決め用の突起と当接部がそれぞれ設けられた基板装着治具が知られている（例えば、特許文献１参照）。この基板装着治具においては、プリント基板に設けた治具位置決め孔に治具の突起を挿入すると共に、治具の当接部をプリント基板の端面に接触させることで治具を位置決めし、ガイド孔に電子部品のリード端子を挿入することにより、ガイド孔の下に位置するプリント基板のリード挿入孔にリード端子を挿入するものとなっていた。
【特許文献１】実開平７−３２００号公報
【発明の開示】
【発明が解決しようとする課題】
【０００３】
上記従来技術においては、治具を位置決めするためにプリント基板に治具位置決め孔を設けなければならなかった。このため、プリント基板に予め加工を施すことが必要であった。また、上記従来技術では、プリント基板に治具の突起を挿入したり、当接部を接触させることで治具を固定しているため、プリント基板に大きな負荷がかかり、プリント基板が破損したり、治具ががたついて位置決めが不充分になるという問題もあった。
【０００４】
本発明が解決しようとする課題は、上記従来技術の問題点を解決し、基板に負担をかけることなく確実に保持することで位置決めし、取り外しも簡単に行うことを可能にした電子部品接続治具を提供することにある。
【課題を解決するための手段】
【０００５】
本発明の電子部品接続治具は、基板に設けられたソケットに電子部品の複数のリード端子を接続する電子部品接続治具であって、前記基板を載置し且つ保持する保持部を有する台部と、該台部から立ち上がる立上部と、該立上部の上端から前記保持部内側上方に突出し、前記複数のリード端子をガイドすると共に前記ソケットに対面し且つ上下方向及び突出方向に開口する複数のガイド孔を有するガイド部と、を備えている。この電子部品接続治具における前記保持部は、前記基板が適合する凹部からなる。また、前記台部には、前記保持部の縁の一部分に該保持部よりも深い凹部又は貫通孔からなり、前記基板を前記保持部から取り出し易くする取出部が設けられている。また、前記保持部内には、前記基板の裏面側に突出する部品の逃げとなる凹部又は貫通孔からなる逃げ部が設けられている。また、前記保持部は、前記基板の厚みとほぼ同じ深さに設定され、前記立上部は、前記ソケットの高さとほぼ同じ高さに設定されている。
【発明の効果】
【０００６】
本発明の電子部品接続治具においては、その台部に凹部からなる保持部を設けており、この保持部内に基板を載置することで基板全体を保持して位置決めしているので、基板の一部に大きな負荷が加わることがなく、基板を損傷することなく確実に保持することができる。
【０００７】
また、保持部の縁の一部分に凹部又は貫通孔からなる取出部を設けているので、この取出部に指等を入れて保持部内に載置された基板の裏面や端面を押し上げることで簡単に基板を取り出すことができる。
【０００８】
また、保持部内に凹部又は貫通孔からなる逃げ部を設けているので、保持部内に載置された基板の裏面側に突出する部品を逃げ部に入れることで基板を平らに保持することができる。これにより、ガイド孔とソケットの位置を正確に合わせることができる。
【０００９】
また、保持部を基板の厚みとほぼ同じ深さに設定し、立上部をソケットの高さとほぼ同じ高さに設定しているので、立上部上端に設けられたガイド部の下にソケットが適合し、基板と共にソケットの上下方向にも移動しないように確実に保持することができる。
【発明を実施するための最良の形態】
【００１０】
本発明の電子部品接続治具は、基板を保持する保持部を有する台部と、この台部から立ち上がる立上部と、立上部上端から保持部内側上方に突出するガイド部とを備えている。ガイド部には、上下方向及び突出方向に開口する複数のガイド孔が設けられている。保持部は基板が適合する凹部からなり、ここに基板を載置することで基板を前後左右方向（ＸＹ方向）に位置決め保持するものとなっている。また、立上部は基板のソケットの高さとほぼ同じ高さに設定されており、この立上部の上端から突出するガイド部の下にソケットが適合し、ソケット及び基板を上下方向（Ｚ方向）に位置決め保持するものとなっている。また、台部には、保持部の縁の一部分に凹部又は貫通孔からなる取出部が設けられている。
【００１１】
上記のように、本発明の電子部品接続治具は、ソケットが設けられた基板を確実に保持することができ、このようにソケットを保持した後、ガイド部のガイド孔に電子部品のリード端子を挿入するだけで複数のリード端子をソケットに接続することができる。その後、この電子部品接続治具から基板を取り出すときには、取出部に指等を入れて基板を持ち上げることで簡単に保持部から取り出すことができる。
【実施例】
【００１２】
図１は本発明の一実施例に係る電子部品接続治具を示す斜視図、図２（ａ），（ｂ）は図１に示すガイド部の平面図とそのＡ−Ａ断面図、図３はソケットが取り付けられた基板を示す斜視図、図４は複数のリード端子を有する電子部品を示す斜視図である。
【００１３】
２は電子部品接続治具であり、略直方体形状をなす台部４と、その表面から立ち上がる略直方体形状をなす立上部６と、その上に設けられたガイド部８とから構成されている。
【００１４】
台部４は、その表面中央に浅い凹部からなる保持部４ａを有している。この保持部４ａは、図３に示す基板１０とほぼ同じ平面形状をなすと共に、基板１０の厚みとほぼ同じ深さに設定されている。また、この保持部４ａの底面には、基板１０の裏面側に突出する部品に対応する位置に、それら突出する部品を逃げる凹部又は貫通孔からなる逃げ部４ｂが設けられている。また、この台部４の表面には、保持部４ａの縁の一部分に、保持部内外にわたる保持部４ａよりも深い凹部又は貫通孔からなる取出部４ｃが設けられている。
【００１５】
立上部６は、保持部４ａの縁に位置しており、図３に示す基板１０のソケット１２の高さとほぼ同じ高さに設定されている。
【００１６】
ガイド部８は、立上部６の上端に設けられている。本実施例においては、台部４と立上部６がプラスチック等の一体成形により形成されており、ガイド部８は金属板等の別体で形成されたものを立上部６上にネジ止め等により取り付けたものとなっている。このガイド部８は、立上部６の上端から保持部４ａ内側上方に突出しており、保持部４ａ内に載置される基板１０のソケット１２の上に被さるように配置されている。このガイド部８の突出方向の先端部分には、上下方向及び突出方向に開口する複数のガイド孔８ａが設けられている。このガイド孔８ａは、上方の径が大きく下方の径が小さいすり鉢状をなすもので、下方の径の幅で突出方向に開口するものとなっている。また、ガイド孔８ａは、その下方の開口位置が、保持部４ａに収められた基板１０のソケット１２の挿入孔１２ａに対面するように、位置付けられている。
【００１７】
次に、上記構成からなる電子部品接続治具２を用いて基板１０のソケット１２に電子部品１４のリード端子１６を接続するときの状態を説明する。はじめに、本実施例にて使用する基板１０と電子部品１４の概略構成を説明する。図３に示す基板１０には、その表面又は裏面に多くの導電パターン（図示省略）と部品（図示省略）が設けられており、その隅に図４に示す電子部品１４を接続するためのソケット１２が２個固着されている。このソケット１２は直方体をなし、その上面に接続用の挿入孔１２ａが一列に複数設けられている。図４に示す電子部品１４は、本実施例においては液晶表示装置からなり、ガラス基板１４ａの端部から複数のリード端子１６が下方に引き出されている。また、この電子部品１４のフレーム１４ｂの端部下方には、基板１０に取り付けるための係合部１４ｃ等が設けられており、この係合部１４ｃを基板１０に設けた凹部、孔等（図示省略）に嵌め込んで係合させることにより基板１０に取り付けられるものとなっている。
【００１８】
上記のような基板１０のソケット１２に電子部品１４を接続する場合、はじめに電子部品接続治具２における台部４の保持部４ａ内に基板１０を嵌め込む。このときに図５及び図６に示すように、ソケット１２はガイド部８の下に入り込み、また、基板１０の裏面に取り付けられた部品１８が逃げ部４ｂ内に収められる。これにより、図６及び図７に示すように、基板１０は保持部４ａに平らに嵌まって前後左右上下に動かないように保持される。
【００１９】
上記のように保持部４ａに基板１０が保持されると、ソケット１２の挿入孔１２ａがガイド部８のガイド孔８ａの真下に位置することになる。ここで、図８及び図９に示すように、電子部品１４のリード端子１６をガイド孔８ａに上方から挿入する。尚、図９における電子部品１４は多数のリード端子１６が設けられた集積回路を図示している。このときに、リード端子１６の先端がソケット１２の挿入孔１２ａの位置から多少ずれていても、上方の開口が広がっているガイド孔８ａには容易に挿入することができる。このようにガイド孔８ａに挿入されたリード端子１６は、ガイド孔８ａによってソケット１２の挿入孔１２ａに導かれて、図１０に示すように挿入孔１２ａに挿入される。尚、このときに本実施例における電子部品１４は、その係合部１４ｃが基板１０に係合することで基板１０に固定される。
【００２０】
その後、図７に示す取出部４ｃに指等を差し込んで基板１０を保持部４ａから浮かし、リード端子１６をガイド孔８ａの突出方向の開口から引き抜きながら電子部品１４と基板１０を保持部４ａから取り出す。
【００２１】
上記のように、電子部品接続治具２を使用すると、電子部品１４のリード端子１６を簡単に基板１０のソケット１２に接続することができる。
【００２２】
尚、本実施例においてはガイド部８を台部４及び立上部６とは別体の部品で形成しているので、ソケット１２や挿入孔１２ａの数や位置の変更にも、ガイド部８のみを交換するだけで対応することが可能である。また、このガイド部８を立上部６の上端に一体に形成することも可能である。
【図面の簡単な説明】
【００２３】
【図１】本発明の一実施例に係る電子部品接続治具を示す斜視図である。
【図２】（ａ），（ｂ）は図１に示すガイド部の平面図とそのＡ−Ａ断面図である。
【図３】ソケットが取り付けられた基板を示す斜視図である。
【図４】複数のリード端子を有する電子部品を示す斜視図である。
【図５】保持部に基板を載置するときの状態を示す要部断面図である。
【図６】保持部に基板を載置した状態を示す要部断面図である。
【図７】保持部に基板を載置した状態を示す斜視図である。
【図８】ガイド孔にリード端子を挿入するときの状態を示す要部断面図である。
【図９】ガイド孔にリード端子を挿入するときの状態を示す斜視図である。
【図１０】ガイド孔にリード端子を挿入した状態を示す断面図である。
【符号の説明】
【００２４】
２      電子部品接続治具
４      台部
６      立上部
８      ガイド部
４ａ    保持部
４ｂ    逃げ部
４ｃ    取出部
８ａ    ガイド孔
１０    基板
１２    ソケット
１２ａ  挿入孔
１４    電子部品
１４ａ  ガラス基板
１４ｂ  フレーム
１４ｃ  係合部
１６    リード端子
１８    部品
【図１】
0004793937.tif 000002
【図２】
0004793937.tif 000003
【図３】
0004793937.tif 000004
【図４】
0004793937.tif 000005
【図５】
0004793937.tif 000006
【図６】
0004793937.tif 000007
【図７】
0004793937.tif 000008
【図８】
0004793937.tif 000009
【図９】
0004793937.tif 000010
【図１０】
0004793937.tif 000011